(57)【要約】【課題】室内機の実体的な処理状況を把握できる空調機管理装置を提供する。【解決手段】１の室外機に対して複数の室内機が同一系統で接続される空調機を管理する空調機管理装置５０であって、空調機の運転情報を取得する取得部５５ａと、算出部５５ｂと、把握部５５ｃと、を備える。空調機の運転情報は、室外機の圧縮機に関する情報を含む。算出部５５ｂは、室外機の圧縮機に関する情報から、複数の室内機全体の熱処理量を算出する。把握部５５ｃは、空調機の運転情報と、複数の空調機全体の熱処理量とから、室内機毎の熱処理量を把握する。【選択図】図２
2014066504.tif 000002
【特許請求の範囲】
【請求項１】
１の室外機（１１）に対して複数の室内機（１２）が同一系統で接続される空調機（１０）を管理する空調機管理装置（３０）であって、
前記室外機の圧縮機（２１）に関する情報を含む前記空調機の運転情報、を取得する取得部（５５ａ）と、
前記室外機の圧縮機に関する情報から、複数の前記室内機全体の熱処理量を算出する算出部（５５ｂ）と、
前記空調機の運転情報と複数の前記空調機全体の熱処理量とから、前記室内機毎の熱処理量を把握する把握部（５５ｃ）と、
を備える、空調機管理装置。
【請求項２】
前記空調機の運転情報には、前記圧縮機に関する情報の他に、前記室内機の設定温度、前記室内機の吸込温度、前記室内機の吹出温度又は前記室内機の室内熱交換器（３１）の温度、前記室内機の室内電動弁（３２）の開度、前記室内機の室内ファン（３３）の回転数、及び、サーモオンの時間の少なくとも１つが含まれる、
請求項１に記載の空調機管理装置。
【発明の詳細な説明】
【技術分野】
【０００１】
本発明は、空調機管理装置に関する。
【背景技術】
【０００２】
従来、特許文献１（特開２０１０―０４８４５１号公報）に開示のように、空調機の総使用電力量を、空調機の運転状況に基づいて、室内機毎に按分する空調機管理装置が提案されている。
【発明の概要】
【発明が解決しようとする課題】
【０００３】
特許文献１に開示の管理装置では、室内機毎の消費電力量を把握できているが、より室内機の実体的な処理状況を把握できることが好ましいと考えられる。
【０００４】
そこで、本発明の課題は、室内機の実体的な処理状況を把握できる空調機管理装置を提供することにある。
【課題を解決するための手段】
【０００５】
本発明の第１観点に係る空調機管理装置は、１の室外機に対して複数の室内機が同一系統で接続される空調機を管理する空調機管理装置であって、取得部と、算出部と、把握部と、を備える。取得部は、空調機の運転情報を取得する。空調機の運転情報は、室外機の圧縮機に関する情報を含む。算出部は、室外機の圧縮機に関する情報から、複数の室内機全体の熱処理量を算出する。把握部は、空調機の運転情報と、複数の空調機全体の熱処理量とから、室内機毎の熱処理量を把握する。
【０００６】
本発明では、室内機毎の熱処理量を把握できることから、室内機毎のより実体的な処理状況を把握できるようになっている。
【０００７】
本発明の第２観点に係る空調機管理装置は、本発明の第１観点に係る空調機管理装置であって、空調機の運転情報には、圧縮機に関する情報の他に、室内機の設定温度、室内機の吸込温度、室内機の吹出温度又は室内機の室内熱交換器の温度、室内機の室内電動弁の開度、室内機の室内ファンの回転数、及び、サーモオンの時間、の少なくとも１つが含まれる。
【０００８】
本発明では、空調機の基本的な情報を用いて室内機毎の熱処理量を把握できるので、コストを抑えることができる。
【発明の効果】
【０００９】
本発明の第１観点に係る空調機管理装置では、室内機の実体的な処理状況を把握できる。
【００１０】
本発明の第２観点に係る空調機管理装置では、コストを抑えることができる。
【図面の簡単な説明】
【００１１】
【図１】本発明の一実施形態に係る空調機管理装置を備える空調機管理システムの概略構成図。
【図２】空調機の制御関係の概略構成図。
【図３】空調機管理装置の概略構成図。
【図４】空調機管理装置における制御処理の流れを示すフローチャート。
【発明を実施するための形態】
【００１２】
以下、本発明に係る空調機管理装置５０を備える空調機管理システム１００について、図面を参照しながら説明する。
【００１３】
（１）空調機管理システムの全体構成
図１は、本発明の一実施形態に係る空調機管理装置５０を備える空調機管理システム１００の概略構成図である。
【００１４】
空調機管理システム１００は、空調機管理装置５０によって、空調機１０の熱処理量の管理を行うシステムである。
【００１５】
空調機管理システム１００は、図１に示すように、主として、空調機１０と、空調機１０の管理及び制御を行う空調機管理装置５０と、を備えている。空調機１０と空調機管理装置５０とは、専用の通信線５を介して接続されており、双方向の通信が可能である。以下、空調機管理システム１００を主として構成する各部の構成について説明する。
【００１６】
（２）空調機
図２は、空調機１０の制御関係の概略構成図である。
【００１７】
空調機１０は、図１に示すように、主として、建物の外部に設置される室外機１１と、建物内の室内の天井や壁に設置され、１の室外機１１に対して同一系統で接続される複数の室内機１２と、室外機１１と室内機１２とを接続する冷媒連絡配管８と、から構成されている。尚、冷媒系統は、図１に示すような１つのみに限られず、２以上であってもよい。以下では、２以上の冷媒系統を有していることを前提として説明する。また、複数の室内機１２は、各室内に１又は複数ずつ配置されてもよいし、ある室内には１つ、ある室内には複数といった配置をされてもよい。
【００１８】
室外機１１及び室内機１２は、それぞれ、室外側冷媒回路１１ａ、室内側冷媒回路１２ａを有しており、これらが上述の冷媒連絡配管８によって接続されることで１の冷媒回路９が形成されている。室外機１１の本体ケーシング内には、圧縮機２１や室外熱交換器２２等の室外側冷媒回路１１ａを構成する機器や室外ファン２３が収容されている。室内機１２の本体ケーシング内には、室内熱交換器３１、室内電動弁３２等の室内側冷媒回路１２ａを構成する機器や室内ファン３３が収容されている。
【００１９】
図２に示すように、空調機１０の制御部４１は、室外機１１の室外制御部４１ａと室内機１２の室内制御部４１ｂとから構成されている。室外制御部４１ａと室内制御部４１ｂとは、専用の通信線を介して接続されており、双方向に通信が可能となっている。空調機１０の制御部４１は、専用の通信線５を介して、空調機管理装置５０と接続されている。
【００２０】
また、空調機１０の制御部４１は、空調機管理装置５０からの制御指令に基づいて、室外機１１内や室内機１２内に配置される各種機器の動作を制御している。ここで、制御指令とは、室内機１２の運転／停止指令、室内機１２の運転モードの変更指令等である。また、各種機器の動作の制御とは、圧縮機２１、室外ファン２３及び室内ファン３３の回転数の調整や、室内電動弁３２の開度の調整等をいう。
【００２１】
また、空調機１０の制御部４１は、空調機管理装置５０からの制御指令に応じて、空調機１０の運転情報を、空調機管理装置５０に送信する。
【００２２】
空調機１０の運転情報には、室外機１１の運転状態（通常モード、能力制限モード等）、室外温度、室内温度（室内機１２の吸込温度）、室外機１１内の各種機器やセンサの状態値（室外ファン２３に関する情報（回転数等）、圧縮機２１に関する情報（回転数等）、冷媒温度、冷媒圧力等）、室内機１２内の各種機器やセンサの状態値（室内ファン３３に関する情報（回転数等）、室内電動弁３２に関する情報（開度等）、冷媒温度、冷媒圧力等）を示すデータが含まれる。尚、室内機１２の室内制御部４１ｂに、ユーザが入力可能なリモコンが接続されている場合であって、空調機管理装置５０による集中管理を解除してリモコンによる入力指令が優先されるような設定がされている場合は、室内機１２の運転状態（ＯＮ/ＯＦＦ、設定温度、冷房／暖房／除湿等の運転モード等）もこの空調機１０の運転情報に含まれる。
【００２３】
ここで、室内温度は、室内機１２の吸込口付近に設置され、室内機１２が設置される室内の温度を検出する室内温度センサ１３によって検出される。室外温度は、室外機１１の吸込口付近に設置され、室外機１１の近傍の外気温度を検出する室外温度センサ１４によって検出される。冷媒温度は、冷媒回路９の所定の位置（例えば、室外熱交換器２２の入口、途中及び出口、室内熱交換器３１の入口、途中及び出口、圧縮機２１の吐出側及び吸入側）に設置される複数の冷媒温度センサ１５，１５・・・によって検出される。冷媒圧力は、冷媒回路９の所定の位置（例えば、圧縮機２１の吐出側及び吸入側）に設置される複数の冷媒圧力センサ１６，１６・・・によって検出される。
【００２４】
（３）空調機管理装置
図３は、空調機管理装置５０の概略構成図である。
【００２５】
空調機管理装置５０は、空調機１０の管理及び制御を行うために、空調機１０が設置される建物の管理室等に配置されている。空調機管理装置５０は、図３に示すように、主として、通信部５１と、表示部５２と、入力部５３と、記憶部５４と、制御部５５とを有している。
【００２６】
（３−１）通信部
通信部５１は、空調機管理装置５０を、専用の通信線５に接続可能にするネットワークインターフェースである。
【００２７】
（３−２）表示部
表示部５２は、主として、ディスプレイから構成されている。表示部５２には、空調機１０の運転情報が適宜表示される。また、表示部５２には、後述する算出部５５ｂによって算出された冷媒系統単位での室内機１２全体の熱処理量や、後述する把握部５５ｃによって把握された冷媒系統単位での室内機１２毎の熱処理量も表示される。
【００２８】
（３−３）入力部
入力部５３は、主として、操作ボタン及び上記ディスプレイを覆うタッチパネルから構成されている。管理者等が操作ボタンやタッチパネル上のボタンに触れることによって、当該ボタンに対応する制御処理が制御部５５によって実行される。
【００２９】
（３−４）記憶部
記憶部５４は、ハードディスク等から構成されており、主として、運転情報記憶領域５４ａと、第１熱処理量算出ルール記憶領域５４ｂと、第２熱処理量算出ルール記憶領域５４ｃと、熱処理量記憶領域５４ｄと、を有している。
【００３０】
（３−４−１）運転情報記憶領域
運転情報記憶領域５４ａには、取得部５５ａ（後述する）によって把握された空調機１０の運転情報が記憶されている。
【００３１】
（３−４−２）第１熱処理量算出ルール記憶領域
第１熱処理量算出ルール記憶領域５４ｂには、冷媒系統単位の複数の室内機１２全体の熱処理量を算出するための第１熱処理量算出ルールが記憶されている。第１熱処理量算出ルールは、室外機１１の圧縮機２１の回転数と冷媒の循環量とから成る式によって、冷媒系統単位の複数の室内機１２全体の熱処理量を算出する、といったルールである。
【００３２】
（３−４−３）第２熱処理量算出ルール記憶領域
第２熱処理量算出ルール記憶領域５４ｃには、冷媒系統単位での室内機１２毎の熱処理量を算出するための第２熱処理量算出ルールが記憶されている。第２熱処理量算出ルールは、冷媒系統単位の室内機１２全体の熱処理量を、各室内機１２の室内電動弁３２の開度の比率に基づいて、その冷媒系統単位での各室内機１２に配分する、といったルールである。
【００３３】
（３−４−４）熱処理量記憶領域
熱処理量記憶領域５４ｄには、算出部５５ｂによって算出された、冷媒系統単位の室内機１２全体の熱処理量と、把握部５５ｃによって把握された、所定の冷媒系統における室内機１２毎の熱処理量と、が記憶されている。
【００３４】
（３−５）制御部
制御部５５は、ＣＰＵ、ＲＯＭ、ＲＡＭ等から構成され、記憶部５４に記憶されているプログラムを読み出して実行することにより、取得部５５ａ、算出部５５ｂ、把握部５５ｃ等として機能する。
【００３５】
（３−５−１）取得部
取得部５５ａは、所定の時間間隔で（本実施形態では、５分間隔で）、空調機１０の制御部４１から、空調機１０の運転情報を取得する。また、取得部５５ａは、入力部５３を介して管理者等から入力される情報（空調機１０のＯＮ／ＯＦＦ、設定温度、運転モード（冷房モード／暖房モード）等）も取得する。そして、取得部５５ａは、取得した空調機１０の運転情報を、上述の運転情報記憶領域５４ａに格納する。
【００３６】
（３−５−２）算出部
算出部５５ｂは、所定の時間間隔で（本実施形態では、５分間隔で）、空調機１０の運転情報に含まれる室外機１１の圧縮機２１に関する情報から、冷媒系統単位での複数の室内機１２全体の熱処理量を算出する。具体的には、算出部５５ｂは、第１熱処理量算出ルール記憶領域５４ｂに記憶されている第１熱処理量算出ルールを読み出して、室外機１１の圧縮機２１の回転数と冷媒の循環量とから、冷媒系統単位の室内機１２全体の熱処理量を算出する。尚、算出部５５ｂは、冷媒の循環量を、例えば、冷媒温度センサ１５によって検出される所定の位置における冷媒温度や、冷媒圧力センサ１６によって検出される所定の位置における冷媒圧力に基づいて算出する。
【００３７】
（３−５−３）把握部
把握部５５ｃは、所定の時間間隔で（本実施形態では、５分間隔で）、空調機１０の運転情報と、冷媒系統単位での複数の室内機１２全体の熱処理量とから、冷媒系統単位での室内機１２毎の熱処理量を把握する。具体的には、把握部５５ｃは、第２熱処理量算出ルール記憶領域５４ｃに記憶されている第２熱処理量算出ルールに基づいて、熱処理量記憶領域５４ｄに記憶されている冷媒系統単位の室内機１２全体の熱処理量を、その冷媒系統における各室内機１２に配分している。さらに具体的には、把握部５５ｃは、まず、冷媒系統単位で、各室内機１２の室内電動弁３２の開度の比率を導出する。そして、この導出した各室内機１２の室内電動弁３２の開度の比率に基づいて、冷媒系統単位の室内機１２全体の熱処理量をその冷媒系統における各室内機１２に配分している。そして、これにより、所定の冷媒系統における室内機１２毎の熱処理量を把握している。
【００３８】
（４）空調機管理装置における制御処理の流れ
図４は、空調機管理装置５０における制御処理の流れを示すフローチャートである。以下、図４を用いて、空調機管理装置５０における冷媒系統単位での室内機１２毎の熱処理量を把握する制御について説明する。
【００３９】
まず、図４に示すように、ステップＳ１０１では、取得部５５ａが、空調機１０の制御部４１に対して、空調機１０の運転情報を送信するように制御指令を出すことによって、空調機１０の制御部４１から空調機１０の運転情報を取得する。そして、取得した空調機１０の運転情報を、運転情報記憶領域５４ａに格納する。尚、入力部５３を介して入力された情報は、適宜、取得部５５ａによって取得されて運転情報記憶領域５４ａに記憶されている。
【００４０】
次に、ステップＳ１０２では、算出部５５ｂが、第１熱処理量算出ルール記憶領域５４ｂに記憶されている第１熱処理量算出ルールを読み出す。そして、算出部５５ｂは、ステップＳ１０３において、第１熱処理量算出ルールに基づいて、取得部５５ａが取得した空調機１０の運転情報に含まれる圧縮機２１に関する情報（回転数）から、冷媒系統単位の複数の室内機１２全体の熱処理量を算出する。より具体的には、算出部５５ｂは、まず、冷媒の循環量を算出し、この冷媒の循環量と、室外機１１の圧縮機２１の回転数とから、冷媒系統単位の室内機１２全体の熱処理量を算出する。
【００４１】
次に、ステップＳ１０４では、把握部５５ｃが、第２熱処理量算出ルール記憶領域５４ｃに記憶されている第２熱処理量算出ルールを読み出す。そして、把握部５５ｃは、ステップＳ１０５において、まず、取得部５５ａが取得した空調機１０の運転情報（具体的には、室内電動弁３２の開度）から、各冷媒系統での各室内電動弁３２の開度の比率を導出する。そして、把握部５５ｃは、導出した各冷媒系統での各室内電動弁３２の開度の比率に基づいて、算出部５５ｂによって算出された冷媒系統単位の複数の室内機１２全体の熱処理量を、各冷媒系統における各室内機１２に配分する。そして、これにより、把握部５５ｃは、各冷媒系統における各室内機１２の熱処理量を把握している。
【００４２】
（５）特徴
（５−１）
従来、特許文献１（特開２０１０―０４８４５１号公報）に開示のように、空調機の総使用電力量を、空調機の運転状況に基づいて、室内機毎に按分する空調機管理装置が提案されている。
【００４３】
しかし、特許文献１に開示の管理装置では、室内機毎の消費電力量を把握できているが、より室内機の実体的な処理状況を把握できることが好ましいと考えられる。
【００４４】
そこで、本実施形態の空調機管理装置５０では、算出部５５ｂが、室外機１１の圧縮機２１に関する情報（具体的には、圧縮機２１の回転数）から、各冷媒系統における複数の室内機１２全体の熱処理量を算出している。そして、把握部５５ｃが、空調機１０の運転情報（具体的には、室内電動弁３２の開度）と、算出部５５ｂによって算出された各冷媒系統における複数の室内機１２全体の熱処理量とから、各冷媒系統における室内機１２毎の熱処理量を把握している。
【００４５】
このように、本実施形態では、各冷媒系統における複数の室内機１２の全体の熱処理量だけではなく、各冷媒系統における室内機１２毎の熱処理量を把握できることから、室内機１２毎のより実体的な処理状況を把握できるようになっている。
【００４６】
そして、これにより、室内機１２が複数の室内に分けて設置される場合、室内の空調負荷の大小を比較できる。
【００４７】
（５−２）
本実施形態では、空調機１０の運転情報に含まれる、圧縮機２１に関する情報や室内機１２の室内電動弁３２の開度から、各冷媒系統における室内機１２毎の熱処理量を把握している。このように、本実施形態では、空調機１０の基本的な情報を用いて室内機１２毎の熱処理量を把握できるので、コストを抑制できる。
【００４８】
（６）変形例
以上、本発明の実施形態について図面に基づいて説明したが、具体的な構成は、上記の実施形態に限られるものではなく、発明の要旨を逸脱しない範囲で変更可能である。
【００４９】
（６−１）変形例Ａ
上記実施形態では、第２熱処理量算出ルールは、各冷媒系統における各室内機１２の室内電動弁３２の開度の比率に基づいて、冷媒系統単位の室内機１２全体の熱処理量をその冷媒系統における各室内機１２に配分するといったルールであると説明したが、これに限られるものではない。
【００５０】
例えば、各冷媒系統における室内機１２の設定温度と、その室内機１２の吸込温度と、その室内機１２の室内ファン３３の回転数と、をパラメータとして含む式に基づいて、冷媒系統単位の室内機１２全体の熱処理量をその冷媒系統における各室内機１２に配分するといったルールであってもよい。尚、上記の設定温度を、各冷媒系統における室内機１２の吹出温度又は室内熱交換器３１の温度に変更してもよい。
【００５１】
さらに、例えば、各冷媒系統における室内機１２のサーモオンの時間と、その室内機１２の室内ファン３３の回転数と、をパラメータとして含む式に基づいて、冷媒系統単位の室内機１２全体の熱処理量をその冷媒系統における各室内機１２に配分するといったルールであってもよい。
【００５２】
（６−２）変形例Ｂ
上記実施形態では、空調機管理装置５０における熱処理量を出力する方法として、表示部５２に表示させる例を挙げたが、これに限られるものではない。例えば、空調機管理装置５０で算出及び把握された熱処理量を紙媒体に印刷してもよいし、メールで建物における管理者等が所有するコンピュータに送信してもよい。すなわち、管理者等が、冷媒系統単位での室内機１２全体の熱処理量や冷媒系統単位での室内機１２毎の熱処理量を把握できる構成であれば出力方法は何でもよい。
【産業上の利用可能性】
【００５３】
本発明は、１の室外機に対して複数の室内機が同一系統で接続される空調機を管理する空調機管理装置に、種々適用できる。
【符号の説明】
【００５４】
１０  空調機
１１  室外機
１２  室内機
２１  圧縮機
３１  室内熱交換器
３２  室内電動弁
３３  室内ファン
５０  空調機管理装置
５５ａ  取得部
５５ｂ  算出部
５５ｃ  把握部
【先行技術文献】
【特許文献】
【００５５】
【特許文献１】特開２０１０―０４８４５１号公報
【図１】
2014066504.tif 000003
【図２】
2014066504.tif 000004
【図３】
2014066504.tif 000005
【図４】
2014066504.tif 000006